(57)【要約】【課題】既設の折板屋根のタイトフレームにも柔軟に対応して補強を施すことが可能なタイトフレーム補強用金具を提供する。【解決手段】折板屋根に使用するタイトフレーム３を補強するためのタイトフレーム補強用金具Ａであって、外周面に雄ネジの螺刻が施された第１雄ネジ部材６と、外周面に第１雄ネジ部材６の雄ネジと逆ネジの雄ネジの螺刻が施された第２雄ネジ部材７と、下端側に第１雄ネジ部材６の上端側が螺合し、上端側に第２雄ネジ部材７の下端側が螺合して、第１雄ネジ部材６と第２雄ネジ部材７とを互いの軸線Ｏ１を同軸上に配した状態で上下に一体に繋げるナット部材８とを備え、タイトフレーム３の下端側が固設されてこのタイトフレーム３を支持する下地材１ａに第１雄ネジ部材６の下端側を固定して繋げ、下地材１ａとこの下地材１ａよりも上方に配されたタイトフレーム３の上端部３ｄとの間に介装して用いる。【選択図】図２
2008240483.tif 000002
【特許請求の範囲】
【請求項１】
折板屋根に使用するタイトフレームを補強するためのタイトフレーム補強用金具であって、
外周面に雄ネジの螺刻が施された第１雄ネジ部材と、外周面に前記第１雄ネジ部材の雄ネジと逆ネジの雄ネジの螺刻が施された第２雄ネジ部材と、下端側に前記第１雄ネジ部材の上端側が螺合し、上端側に前記第２雄ネジ部材の下端側が螺合して、前記第１雄ネジ部材と前記第２雄ネジ部材とを互いの軸線を同軸上に配した状態で上下に一体に繋げるナット部材とを備え、前記ナット部材の軸線回りの回転によって前記軸線方向の上下に伸縮自在に構成されており、
前記タイトフレームの下端側が固設されて該タイトフレームを支持する下地材に前記第１雄ネジ部材の下端側を固定して繋げ、前記下地材と該下地材よりも上方に配された前記タイトフレームの上端部との間に介装して用いられることを特徴とするタイトフレーム補強用金具。
【請求項２】
請求項１記載のタイトフレーム補強用金具において、
前記第２雄ネジ部材の上端側に、前記ナット部材の回転によって伸びるとともに前記タイトフレームの上端部に係合し、該タイトフレームの上端部を保持する係合部材が設けられていることを特徴とするタイトフレーム補強用金具。
【発明の詳細な説明】
【技術分野】
【０００１】
本発明は、折板屋根に使用するタイトフレームを補強するためのタイトフレーム補強用金具に関する。
【背景技術】
【０００２】
従来、体育館、工場、倉庫などの屋根として折板屋根が多用されている。この折板屋根は、母屋の梁部材としての例えばＨ型鋼にタイトフレームがボルト締めや溶接によって固定して取り付けられ、このタイトフレームに折板をボルト締めなどによって固定して構築される。
【０００３】
また、タイトフレームに補強金具（タイトフレーム補強用金具）を取り付ける場合もあり、例えば特許文献１に開示された補強金具は、平らな垂直板の上端円弧面から略水平に延びる円弧状体が形成され、この円弧状体の先端部に先端傾斜部を備えて構成されている。また、先端傾斜部の先端に小形状の切込み面が設けられ、垂直板の両端側に、円弧状体方向に屈曲させてこの円弧状体と一体構成の強度を図る縁折りが形成されている。さらに、垂直板の両端下端部には、円弧状体の背面側に屈曲させた回動片がタイトフレームの垂下面を挟むように設けられている。
【０００４】
そして、このように構成した補強金具においては、タイトフレームの垂下面の上端部にボルトとナットで一体に取り付けることで、折板が取り付けられるタイトフレームの上端部側に補強を施すことができる。また、このとき、回動片によって、補強金具の回動を防ぎ、タイトフレームと折板とを繋げるための吊子を自由に動くように取り付けることができるため、折板の設置時に、屋根の傾き角度に対応させて吊子の傾き角度を調整するような場合においても、回動片によって吊子と一体に回動することがなく、傾き角度の調整作業を極めて容易に行なうことができる。
【特許文献１】特開２００４−４４２８７号公報
【発明の開示】
【発明が解決しようとする課題】
【０００５】
一方で、例えば風雪などによってタイトフレームに変形が生じたり、折板の熱膨張・収縮に伴ってタイトフレームに変形が生じることが多々あるが、このようにタイトフレームに変形が生じた既設の折板屋根を修復する際には、従来、全ての折板及びタイトフレームを取り除き新たに折板屋根を構築し直して、すなわち折板屋根の全面葺き替えを行なって対応していた。
【０００６】
しかしながら、例えば工場などでは、操業を停止することなく折板屋根の修復を行なうことが求められ、折板屋根の修復に全面葺き替えを適用することができない場合もある。そして、このような場合には、変形したタイトフレームをある程度元の形状、位置に矯正し直し、矯正したタイトフレームに補強を施して対応することになるが、上記従来の補強金具においては、あくまで折板屋根の新設時に特定形状のタイトフレームの補強に用いられるものであるため、このような修復におけるタイトフレームの補強に適用（対応）できないという問題があった。
【０００７】
本発明は、上記事情を鑑み、既設の折板屋根のタイトフレームにも柔軟に対応して補強を施すことが可能なタイトフレーム補強用金具を提供することを目的とする。
【課題を解決するための手段】
【０００８】
上記の目的を達するために、この発明は以下の手段を提供している。
【０００９】
本発明のタイトフレーム補強用金具は、折板屋根に使用するタイトフレームを補強するためのタイトフレーム補強用金具であって、外周面に雄ネジの螺刻が施された第１雄ネジ部材と、外周面に前記第１雄ネジ部材の雄ネジと逆ネジの雄ネジの螺刻が施された第２雄ネジ部材と、下端側に前記第１雄ネジ部材の上端側が螺合し、上端側に前記第２雄ネジ部材の下端側が螺合して、前記第１雄ネジ部材と前記第２雄ネジ部材とを互いの軸線を同軸上に配した状態で上下に一体に繋げるナット部材とを備え、前記ナット部材の軸線回りの回転によって前記軸線方向の上下に伸縮自在に構成されており、前記タイトフレームの下端側が固設されて該タイトフレームを支持する下地材に前記第１雄ネジ部材の下端側を固定して繋げ、前記下地材と該下地材よりも上方に配された前記タイトフレームの上端部との間に介装して用いられることを特徴とする。
【００１０】
この発明においては、ナット部材の回転操作によってその軸線方向の長さを変えることができるため、ナット部材の回転操作でタイトフレーム補強用金具を伸ばし、第２雄ネジ部材の上端側で、タイトフレームの上端部を上方に押圧することができ、ナット部材の回転量を調節することで、タイトフレームの高さを調整できるとともに、タイトフレームを所定の押圧力をもって支持することができる。これにより、タイトフレーム補強用金具を介して、タイトフレームの上端部と下地材を繋ぎ、タイトフレームを補強することができる。
【００１１】
また、本発明のタイトフレーム補強用金具においては、前記第２雄ネジ部材の上端側に、前記ナット部材の回転によって伸びるとともに前記タイトフレームの上端部に係合し、該タイトフレームの上端部を保持する係合部材が設けられていることが望ましい。
【００１２】
この発明においては、第２雄ネジ部材の上端にタイトフレームの上端部に係合してこれを保持する係合部材が具備されることによって、タイトフレームを安定して保持することができ、すなわちタイトフレームとタイトフレーム補強用金具とを安定して繋ぐことができ、タイトフレームをタイトフレーム補強用金具で確実に支持して補強することが可能になる。
【発明の効果】
【００１３】
本発明のタイトフレーム補強用金具によれば、例えば折板屋根の修復に全面葺き替えを適用することができない場合においても、変形したタイトフレームをある程度元の形状、位置に矯正し直し、矯正したタイトフレームの上端部と下地材と間にタイトフレーム補強用金具を介装させて設置することにより、タイトフレームを補強することができる。これにより、既設の折板屋根のタイトフレームにも柔軟に対応して補強を施すことが可能になり、例えば工場などの折板屋根の修復を、操業を停止することなく行なうことが可能になる。
【発明を実施するための最良の形態】
【００１４】
以下、図１から図６を参照し、本発明の一実施形態に係るタイトフレーム補強用金具について説明する。本実施形態は、体育館、工場、倉庫などの折板屋根に使用するタイトフレームを補強するためのタイトフレーム補強用金具に関するものである。
【００１５】
はじめに、本実施形態のタイトフレーム補強用金具Ａが取り付けられる折板屋根Ｂは、図１に示すように、母屋の梁部材として設けられたＨ型鋼１の上フランジ（下地材）１ａの上面に、このＨ型鋼１の延設方向に所定の間隔で並ぶ複数の山形部３ａを備えたタイトフレーム３と、タイトフレーム３に例えばボルトとナットなどで適宜固定して取り付けられた折板４とで構成されている。
【００１６】
また、本実施形態のタイトフレーム３は、図１及び図２に示すように、帯状で平板状の金属板を折曲げ加工して複数の山形部３ａが形成されており、各山形部３ａは、タイトフレーム３の延設方向一端側に水平に延設した一方の固定部３ｂと、一方の固定部３ｂに繋がりタイトフレーム３の他端側に向かうに従い漸次上方に傾斜する一方の傾斜部３ｃと、一方の傾斜部３ｃに繋がり他端側に向けて延びる上端部３ｄと、上端部３ｄに繋がり他端側に向かうに従い漸次下方に傾斜する他方の傾斜部３ｅと、他方の傾斜部３ｄに繋がり他端側に向けて水平に延設した他方の固定部３ｆとを備えて構成されている。すなわち、本実施形態のタイトフレーム３は、各山形部３ａが略台形状に形成されている。また、タイトフレーム３の延設方向に隣り合う山形部３ａ同士は、隣り合う一方の固定部３ｂと他方の固定部３ｆを繋げて形成されている。そして、このタイトフレーム３は、一方の固定部３ｂと他方の固定部３ｆがＨ形鋼１の上フランジ１ａの上面に例えば溶接やボルトとナットで締結するなどして固設され、傾斜部３ｃ、３ｅ及び上端部３ｄが上フランジ１ａよりも上方に配されて立設されている。なお、本実施形態において、タイトフレーム３の上端部３ｄは、一端側を他端側よりも一段上方に配するように段部を備え、一端側と他端側がそれぞれ略水平に延設されている。
【００１７】
折板４は、薄鋼板を波状に折曲げ加工して形成したものであり、タイトフレーム３の各山形部３ａに係合する複数の山形部４ａを備えている。また、折板４は、山形部４ａの延設方向に沿う端縁に、例えば内側に折曲げられて形成したはぜ部４ｂを備えている。そして、このはぜ部４ｂを他の折板４のはぜ部４ｂと係合させることで、隣り合う折板４同士が一体に接続される。また、各折板４は、図２に示すように、タイトフレーム３の山形部３ａの上端部３ｄに、ボルト４ｃとナットを締結して取り付けられている。
【００１８】
一方、本実施形態のタイトフレーム補強用金具（以下、補強用金具という）Ａは、図２から図６に示すように、矩形平板状の取付板（取付部材）５と、外周面に雄ネジの螺刻が施されてなる雄ネジ部６ａを備えた第１雄ネジ部材６と、外周面に第１雄ネジ部材６の雄ネジ部６ａと逆ネジの雄ネジ部７ａを備えた第２雄ネジ部材７と、第１雄ネジ部材６と第２雄ネジ部材７が螺合する長ナット部材（ナット部材）８と、タイトフレーム４に係合する係合溝９ａを備えた断面略Ｕ字状の係合部材９とを備えて構成されている。
【００１９】
また、第１雄ネジ部材６は、下端が取付板５の上面に溶接などで固定して設けられ、取付板５の上面に軸線Ｏ１を直交させて取付板５の上方に突設されている。長ナット部材８は、第１雄ネジ部材６の上端側の雄ネジ部６ａに、下端側の雌ネジ部を螺合させて設けられ、これにより、第１雄ネジ部材６と互いの軸線Ｏ１を同軸上に配して一体に繋げられている。また、第２雄ネジ部材７は、長ナット部材８の上端側の雌ネジ部に、下端側の雄ネジ部７ａを螺合させて設けられ、これにより、長ナット部材８から上方に突出しつつ長ナット部材８及び第１雄ネジ部材６と軸線Ｏ１を同軸上に配して一体に繋げられている。係合部材９は、第２雄ネジ部材７の上端に溶接などで固定して設けられており、このとき、係合溝９ａの延設方向を第２雄ネジ部材７の軸線Ｏ１に直交させて設けられている。また、係合部材９には、係合溝９ａの延設方向一端側に、断面矩形状の矩形ブロック９ｂが嵌合して取り付けられている。なお、この矩形ブロック９ｂは、後述する係合溝９ａにタイトフレーム３の上端部３ｄを係合させた際に、この上端部３ｄの一段上方に配された部分に係合するように設けられている。
【００２０】
そして、上記のように構成した補強用金具Ａは、長ナット部材８を軸線Ｏ１回りの一方向に回転させると、互いの雄ネジ部６ａ、７ａが逆ネジで形成された第１雄ネジ部材６と第２雄ネジ部材７とが軸線Ｏ１方向の上下に離れるように移動、すなわち補強用金具Ａの軸線Ｏ１方向に伸びてその長さを大きくするように移動する。逆に、長ナット部材８を軸線Ｏ１回りの他方向に回転させると、第１雄ネジ部材６と第２雄ネジ部材７とが軸線Ｏ１方向の上下に近づくように移動、すなわち補強用金具Ａの軸線Ｏ１方向に縮んでその長さを小さくするように移動する。よって、本実施形態の補強用金具Ａは、長ナット部材８の回転操作によって軸線Ｏ１方向の上下に伸縮自在に形成されている。
【００２１】
ついで、上記の構成からなる補強用金具Ａを用いてタイトフレーム３を補強する方法を説明し、本実施形態のタイトフレーム補強用金具Ａの作用及び効果について説明する。
【００２２】
はじめに、例えば既設の折板屋根Ｂの折板４やこれを固定して支持しているタイトフレーム３が風雪などによって変形したり、タイトフレーム３が例えば折板４の熱膨張・収縮などによって変形した場合には、従来、全ての折板４とタイトフレーム３を取り除いて新品と交換し、折板屋根Ｂの全面葺き替えを行なうようにしていた。このため、例えば折板屋根Ｂを備える母屋が工場などの場合には、この全面葺き替え作業に伴い操業を停止せざるを得なかった。
【００２３】
これに対し、本実施形態の補強用金具Ａを用いる場合には、作業員が母屋の内側から天井と折板４の間の天井空間内に入り、変形したタイトフレーム３の上端部３ｄとＨ形鋼１の上フランジ１ａの間にジャッキを設置する。そして、このジャッキを駆動し、上フランジ１ａで反力を確保してタイトフレーム３の上端部３ｄを上方に押し上げ、タイトフレーム３をある程度元の形状に戻すように矯正する。すなわち、変形したタイトフレーム３の上端部３ｄの高さ位置をある程度元の位置に戻すように矯正する。
【００２４】
ついで、ジャッキを取り除くとともに、本実施形態の補強用金具Ａを設置する。このとき、予め、長ナット部材８を他方向に回転させて、第１雄ネジ部材６と第２雄ネジ部材７が近づくように軸線Ｏ１方向中央側に退避させ、補強用金具Ａの軸線Ｏ１方向の長さを縮めた状態にしておく。そして、取付板５をタイトフレーム３の上端部３ｄの直下のＨ形鋼１の上フランジ１ａ上に配置し、この取付板５を例えば図３に示すように万力１０などで上フランジ１ａに固定することにより、第１雄ネジ部材６の下端側を上フランジ１ａに固定し、補強用金具Ａをタイトフレーム３の上端部３ｄと上フランジ１ａの間の所定位置に介装して設置する。
【００２５】
ついで、このように所定位置に補強用金具Ａを設置した段階で、長ナット部材８を一方向に回転させて、補強用金具Ａを軸線Ｏ１方向に伸ばす。このように補強用金具Ａを伸ばすとともに、タイトフレーム３の上端部３ｄに、下方側から第２雄ネジ部材７の上端に取り付けた係合部材９の係合溝９ａを係合させる。また、係合部材９とタイトフレーム３が係合した後に、さらに長ナット部材８を一方向に回転させると、上フランジ１ａで反力を確保した補強用金具Ａによって、一対の固定部３ｂ、３ｆを上フランジ１ａに固定して設けられたタイトフレーム３が上方に押圧される。このとき、長ナット部材８の一方向の回転量を調節することで、すなわち補強用金具Ａの軸線Ｏ１方向の長さを調節することで、タイトフレーム３の上端部３ｄの高さ位置が精度よく位置決めされる。さらに、上端部３ｄの高さ位置を位置決めした状態で、補強用金具Ａは、上端（係合部材９、第２雄ネジ部材７の上端側）と下端（取付板５、第１雄ネジ部材６の下端側）がそれぞれ好適な押圧力をもってタイトフレーム３とＨ形鋼１の上フランジ１ａに繋がり、タイトフレーム３を支持する。
【００２６】
これにより、タイトフレーム３は、下端の一対の固定部３ｂ、３ｆに加え、上端部３ｄが補強用金具Ａを介してＨ形鋼１に繋がって支持され、この補強用金具Ａによって補強される。そして、タイトフレーム３の複数の山形部３ａに対して、上記と同様、補強用金具Ａで上端部３ｄの高さ位置を調整しつつこの上端部３ｄを支持して補強を施すことにより、全ての折板４やタイトフレーム３を取り除くことなく、すなわち折板屋根Ｂの全面葺き替えを行なうことなく、修復作業が完了する。
【００２７】
したがって、本実施形態のタイトフレーム補強用金具Ａにおいては、長ナット部材８の回転操作によってその軸線Ｏ１方向の長さを変えることができるため、長ナット部材８の回転量を調節することで、タイトフレーム３の高さを調整しつつタイトフレーム３を所定の押圧力をもって支持することができる。これにより、例えば折板屋根Ｂの修復に全面葺き替えを適用することができない場合においても、変形したタイトフレーム３をある程度元の形状、位置に矯正し直し、矯正したタイトフレーム３の上端部３ｄとＨ形鋼１の上フランジ１ａ（下地材）と間にタイトフレーム補強用金具Ａを介装させて設置することにより、既設の折板屋根Ｂのタイトフレーム３にも柔軟に対応して補強を施すことが可能になり、工場などの折板屋根Ｂの修復を、操業を停止することなく行なうことが可能になる。よって、折板屋根Ｂを全面葺き替えする場合と比較し、工場の操業を停止することを不要にできるとともに、修復に係るコストを大幅に低減することができ、好適に修復作業を行なうことが可能になる。
【００２８】
また、第２雄ネジ部材７の上端にタイトフレーム３の上端部３ｄに係合してこれを保持する係合部材９が具備されることによって、タイトフレーム３を安定して保持することができ、すなわちタイトフレーム３とタイトフレーム補強用金具Ａとを安定して繋ぐことができ、タイトフレーム３をタイトフレーム補強用金具Ａで確実に支持して補強することが可能になる。
【００２９】
以上、本発明に係るタイトフレーム補強用金具の実施形態について説明したが、本発明は上記の一実施形態に限定されるものではなく、その趣旨を逸脱しない範囲で適宜変更可能である。例えば、本実施形態では、タイトフレーム補強用金具Ａが、第１雄ネジ部材６の下端が固設される平板状の取付板（取付部材）５を具備し、設置時に、この取付板５をＨ形鋼１の上フランジ１ａに万力１０を用いて固定するものとしたが、例えば図７に示すように、Ｈ形鋼１の上フランジ１ａ上にＣ形鋼２が設けられ、このＣ形鋼２を下地材としてタイトフレーム３が固設されている場合には、例えば図８に示すように、取付部材５を、Ｃ形鋼２と係合する係合溝５ａを備えた断面略Ｕ字状に形成してもよい。そして、この場合には、Ｃ形鋼２と係合溝５ａを係合させるという簡易な操作で、タイトフレーム補強用金具Ａの下端を下地材２に固定して繋げることができるため、修復作業を効率的に行なうことが可能である。
【００３０】
また、本実施形態では、タイトフレーム補強用金具Ａを、損傷した（変形した）タイトフレーム３を補強するために用いるものとして説明したが、例えば新規に折板屋根Ｂを構築する際に、変形していないタイトフレーム３の補強材として用いてもよく、また、既設の折板屋根Ｂの変形していないタイトフレーム３を補強するために用いてもよい。
【図面の簡単な説明】
【００３１】
【図１】本発明の一実施形態に係るタイトフレーム補強用金具を取り付ける折板屋根を示す斜視図である。
【図２】本発明の一実施形態に係るタイトフレーム補強用金具を示す正面図である。
【図３】図２のＸ１−Ｘ１線矢視図である。
【図４】図２のＸ２−Ｘ２線矢視図である。
【図５】図３のＸ３−Ｘ３線矢視図である。
【図６】図３のＸ４−Ｘ４線矢視図である。
【図７】タイトフレームをＣ形鋼の下地材に固設した折板屋根を示す斜視図である。
【図８】本発明の一実施形態に係るタイトフレーム補強用金具の変形例を示す図である。
【符号の説明】
【００３２】
１      Ｈ形鋼
１ａ    上フランジ（下地材）
２      Ｃ形鋼（下地材）
３      タイトフレーム
３ａ    山形部
３ｄ    上端部
４      折板
４ａ    山形部
５      取付板（取付部材）
６      第１雄ネジ部材
６ａ    雄ネジ部
７      第２雄ネジ部材
７ａ    雄ネジ部
８      長ナット部材（ナット部材）
９      係合部材
９ａ    係合溝
Ａ      タイトフレーム補強用金具（補強用金具）
Ｂ      折板屋根
Ｏ１    軸線
【図１】
2008240483.tif 000003
【図２】
2008240483.tif 000004
【図３】
2008240483.tif 000005
【図４】
2008240483.tif 000006
【図５】
2008240483.tif 000007
【図６】
2008240483.tif 000008
【図７】
2008240483.tif 000009
【図８】
2008240483.tif 000010